(57)【要約】      （修正有）【課題】マグネットジャケットのドライバーのロッドへの固定を堅固にしたドライバーの附加式マグネットジャケットを提供する。【解決手段】マグネットジャケットＡは、第一筒体１１及び第二筒体１２からなる筒ジャケット１０を有する。第一、第二筒体は、オスセット部４０とメスセット部が結合して結合してある。オスセット部４０は、斜め錐状であり、周りに二つの切り溝４２を有する。メスセット部は嵌め槽である。第一、第二筒体１１，１２をドライバー５０のロッド５２に嵌合させ、オス、メスセット部を結合させると、オスセット部がフレキシブルにリセットして、挟められ、オスセット部４０の内側壁がドライバーのロッド５２の周面と緊密に接触して、マグネットジャケットはドライバーのロッドの先端に固定される。【選択図】図１
0003144645.tif 000002
【実用新案登録請求の範囲】
【請求項１】
筒ジャケット（１０）と、前記筒ジャケット（１０）の片側に形成してあるマグネットユニット入れ槽（２０）と、前記マグネットユニット入れ槽（２０）の中に設けてあるリング状のマグネットユニット（３０）を含むマグネットジャケットであって、
前記筒ジャケット（１０）は、オスセット部（４０）とメスセット部（４１）が結合することによって結合された第一筒体（１１）及び第二筒体（１２）からなり、
前記オスセット部（４０）は、斜め錐状であり、その周りに少なくとも二つの切り溝（４２）を有し、該切り溝（４２）が存在することによって、前記オスセット部（４０）はフレキシブルにリセットして、挟められるようになり、
前記メスセット部（４１）は、嵌め槽であり、
ドライバー（５０）に設けたとき、前記第一筒体（１１）と前記第二筒体（１２）が相互に結合して、前記オスセット部（４０）の内側壁とドライバー（５０）のロッド（５２）の周面が緊密に接触して固定される、ドライバーの附加式マグネットジャケット。
【請求項２】
前記マグネットユニット入れ槽（２０）及び前記メスセット部（４１）は、前記第一筒体（１１）に形成してあり、
前記マグネットユニット（３０）は、前記第一筒体（１１）に設けてあり、
前記メスセット部（４１）は、内ネジ山部（４３）を有し、
前記オスセット部（４０）は、前記第二筒体１２に形成してあり、外側の周辺に外ネジ山部（４４）を有し、
前記内ネジ山部（４３）と前記外ネジ山部（４４）とが螺合して、前記オスセット部（４０）と前記メスセット部（４１）とが結合し、前記第一、第二筒体（１１、１２）が結合して固定されることを特徴とする請求項１に記載のドライバーの附加式マグネットジャケット。
【請求項３】
前記マグネットユニット入れ槽（２０）及び前記オスセット部（４０Ｂ）は、前記第一筒体（１１Ｂ）に形成してあり、
前記マグネットユニット（３０）は、前記第一筒体（１１Ｂ）に設けてあり、
前記オスセット部（４０Ｂ）は、外側の周辺に外ネジ山部（４４Ｂ）を有し、
前記メスセット部（４１Ｂ）は、前記第二筒体（１２Ｂ）に設けてあり、内ネジ山部（４３Ｂ）を有し、
前記内ネジ山部（４３Ｂ）と前記外ネジ山部（４４Ｂ）とが螺合して、前記オスセット部（４０Ｂ）と前記メスセット部（４１Ｂ）とが結合し、前記第一、第二筒体（１１Ｂ、１２Ｂ）が結合して固定されることを特徴とする請求項１に記載のドライバーの附加式マグネットジャケット。
【請求項４】
前記マグネットユニット（３０Ｂ）は、前記マグネットユニット入れ槽（２０）内のプリセット深さに設けてあり、
前記マグネットユニット入れ槽（２０）は、端口の片側に固定止め縁（２１）を有し、
前記マグネットユニット（３０Ｂ）が前記マグネットユニット入れ槽（２０）内でスライド可能であることを特徴とする請求項１に記載のドライバーの附加式マグネットジャケット。
【請求項５】
前記マグネットユニット入れ槽（２０）及び前記メスセット部（４１Ｃ）は、前記第一筒体（１１Ｃ）に形成してあり、
前記メスセット部（４１Ｃ）は、テーパ形状であり、
前記オスセット部（４０Ｃ）は、前記第二筒体（１２Ｃ）に形成してあり、斜め錐状であり、前記メスセット部（４１Ｃ）と合うようになっており、
前記オスセット部（４０Ｃ）は、テーパ形状の先が伸ばされ、頸部（４６）が形成され、前記第二筒体（１２Ｃ）と結合するようになり、且つ、テーパ形状の後ろ側が伸ばされ、突止め肩縁（４７）が形成され、
スプリングユニット（７０）が、その片側が前記第一筒体（１１Ｃ）内に突出して形成された固定肩部（１３）を係止し、その他方側が前記オスセット部４０Ｃの前記突止め肩縁（４７）を係止するように設けてあり、フレキシブル突止め状態が形成され、
前記オスセット部（４０Ｃ）は、前記メスセット部（４１Ｃ）と緊密に接触して、フレキシブルバンド作用が形成されることを特徴とする請求項１に記載のドライバーの附加式マグネットジャケット。
【請求項６】
前記第二筒体（１２Ｃ）は、フレキシブルバンド体構造であることを特徴とする請求項５に記載のドライバーの附加式マグネットジャケット。
【考案の詳細な説明】
【技術分野】
【０００１】
本考案はドライバーの附加式マグネットジャケットに係り、特にドライバーのロッドの先端に固定されて附加されるマグネットジャケットに関する。
【背景技術】
【０００２】
従来のドライバー（マイナスドライバー、プラスドライバー等）は、ネジをネジ用穴に止めるとき、ネジヘッドの先にドライバーヘッドが差し込められる溝は、深さが足りないため、ドライバーヘッドがその溝内に有効に差し込めず、ドライバーヘッドが外れ、正確に緊密に溝内に入れなく、ネジがネジ止め穴に止められず、取れてしまい、再度ネジ止めを行わなければならない場合が多い。
【０００３】
上述の問題点について、業者がドライバーのロッドの先端に嵌められるマグネットジャケットを開発したが、前記マグネットジャケットはマグネットユニットが備わっており、ドライバーヘッドをネジの溝に差し込むとき、マグネットユニットでネジを吸着し、ドライバーヘッドに固定して、ドライバーヘッドと溝との間に良好な接合性が形成され、しかも、ネジを止めるときにネジが外れて取れることは起きない。
【考案の開示】
【考案が解決しようとする課題】
【０００４】
しかし、この従来の構造は、実際に使用したとき、次の問題点があった。
【０００５】
即ち、マグネットジャケットのドライバーで、ネジを正確にネジ止め用穴に止めた後、ドライバーを引き離そうとするとき、ドライバーヘッドに設けられたマグネットジャケットは、マグネットユニットとネジとの強力な磁気力によって、ドライバーがうまく引き離されても、マグネットジャケットが止めたネジに吸着され、そこで、ユーザがマグネットジャケットをネジから取り外して、再度ドライバーに嵌め、次のネジ止めを行う必要があるので、それは、ユーザにとって、工事に様々な不便である。
【０００６】
従って、上述の従来の構造に残された問題点について、より理想で、実用性があるオリジナル構造を開発するのが、ユーザの望むことであり、関連業者が努力し、研究開発して努力していくべき目標と方向でもある。
【０００７】
これを鑑みて、発明者は関連製品の製造、開発や設計に携わる長年の経験を持って、上述の目標について詳しく設計、慎重に評価したうえ、実用性がある本考案を提案する。
【０００８】
そこで、本考案の主要目的は、ドライバーの附加式マグネットジャケットを提供することで、解決しようとする問題点は、従来のドライバーのマグネットジャケットに残された、ドライバー先に有効に固定できず、容易に取れてしまう、という問題点を改良、突破することである。
【課題を解決するための手段】
【０００９】
本考案は、筒ジャケット（１０）と、前記筒ジャケット（１０）の片側に形成してあるマグネットユニット入れ槽（２０）と、前記マグネットユニット入れ槽（２０）の中に設けてあるリング状のマグネットユニット（３０）を含むマグネットジャケットであって、
前記筒ジャケット（１０）は、オスセット部（４０）とメスセット部（４１）が結合することによって結合された第一筒体（１１）及び第二筒体（１２）からなり、
前記オスセット部（４０）は、斜め錐状であり、その周りに少なくとも二つの切り溝（４２）を有し、該切り溝（４２）が存在することによって、前記オスセット部（４０）はフレキシブルにリセットして、挟められるようになり、
前記メスセット部（４１）は、嵌め槽であり、
ドライバー（５０）に設けたとき、前記第一筒体（１１）と前記第二筒体（１２）が相互に結合して、前記オスセット部（４０）の内側壁とドライバー（５０）のロッド（５２）の周面が緊密に接触して固定される構成である。
【考案の効果】
【００１０】
従来の技術に比較すれば、本考案のオリジナル設計により、マグネットジャケットをドライバーのロッドの先端に設けたとき、第一、第二筒体が相互に結合し、前記オス、メスセット部が合わせながら固定して、オスセット部がドライバーのロッドを有効に挟んで、相互に脱落することを防ぐことができる、実用性と進歩性を有する。
【考案を実施するための最良の形態】
【００１１】
以下本考案の各実施例について説明する。
【実施例１】
【００１２】
図１乃至図４は、本考案の実施例１になるドライバーの附加式マグネットジャケットＡを示す。
【００１３】
マグネットジャケットＡは、既有のドライバー５０構造に用いられる。マグネットジャケットＡは、筒ジャケット１０及び筒ジャケット１０の片側にあるマグネットユニット入れ槽２０が備わっており、それにより、マグネットユニット３０がその中に設けられる。マグネットユニット３０はリング状である。２１は固定止め縁である。
【００１４】
筒ジャケット１０は、第一筒体１１及び第二筒体１２からなる。第一、第二筒体１１、１２の間は、オス、メスセット部４０、４１が結合して形成されている。
【００１５】
第二筒体１２は斜め錐状のオスセット部４０を有する。オスセット部４０はその周りに少なくとも二つの切り溝４２を有し、この切り溝４２によって、オスセット部４０がフレキシブルにリセットして、挟められるようになる。第一筒体１１のメスセット部４１は嵌め槽である。
【００１６】
マグネットジャケットＡは、ドライバー５０に設けたとき、第一、第二筒体１１、１２が相互に結合して、オスセット部４０の内側壁がドライバー５０のロッド５２の周面と緊密に接触して、ドライバーヘッド５１に堅固に固定される。
【００１７】
マグネットユニット入れ槽２０及びメスセット部４１は、第一筒体１１に形成してある。マグネットユニット３０は第一筒体１１に設けてある。メスセット部４１内に内ネジ山部４３が設けてある。オスセット部４０は第二筒体１２に設けてある。オスセット部４０の外側の周辺に外ネジ山部４４が設けてある。第一、第二筒体１１、１２を合わせて固定することができる。
【００１８】
マグネットユニット３０は、マグネットユニット入れ槽２０の端口に設けてある（図４）。
【００１９】
次に、上述の構造、組合せ設計になるマグネットジャケットＡの作動状況について説明する。
【００２０】
使用するとき、ドライバー５０のドライバーヘッド５１に、第二筒体１２を通し、続いて、第一筒体１１を通し、ドライバーヘッド５１の先端が第一筒体１１のマグネットユニット入れ槽２０の端口にはみ出た状態とし、両手でそれぞれ第一、第二筒体１１、１２を挟み持ちながら適当な位置に調整する。また、第二筒体１２のオスセット部４０を第一筒体１１に向くようにし、オスセット部４０をメスセット部４１内に嵌合させ、オスセット部４０の外側の外ネジ山部４４とメスセット部４１の対応した内ネジ山部４３とを螺合させる。この嵌め合せと固定が行われている間に、オスセット部４０は二つの切り溝４１が形成してあることによって、フレキシブルバンド作用が行われ、ドライバー５０のロッド５２の周面と緊密に接触し、確実に固定される。
【００２１】
ネジ部品６０をマグネットユニット３０の先端に付けると、磁気の吸着力により、ネジ部品６０がドライバーヘッド５１に吸着され、ネジ止め作業は円滑に行われ、ネジ部品６０が確実にネジ止め用対象物に止められる。マグネットジャケットＡはオスセット部４０及びロッド５２の間に形成された緊密関係によってドライバーヘッド５１に堅固に固定されているため、ネジ止め作業完了後に、ドライバー５０をねじ込まれたネジ部品６０から引き離すとき、マグネットジャケットＡがドライバーヘッド５１側から抜けて脱落することが避けられ、ユーザが次のネジ止め作業を行うことができる。
【００２２】
ユーザがマグネットジャケットＡのドライバーヘッド５１に対する位置を調整する場合には、ネジを緩め、第一、第二筒体１１、１２を引き離して、マグネットジャケットＡの位置を調整し、調整位置を決めた後、再度ネジを締めて第一、第二筒体１１、１２の位置を固定すればよい。
【実施例２】
【００２３】
図５は、本考案の実施例２になるマグネットジャケットがドライバーヘッドに固定してある状態を拡大して示す。マグネットユニット３０Ｂはマグネットユニット入れ槽２０内のプリセット深さに上下方向にスライド可能に設けてあり、端口の片側の固定止め縁２１によってマグネットユニット入れ槽２０から抜け出すことを制限されている。
【００２４】
マグネットユニット３０Ｂとマグネットユニット入れ槽２０の端口の上方のネジ部品６０との間の磁気の吸引力によって、マグネットユニット３０Ｂがマグネットユニット入れ槽２０の端口へとスライドされ、マグネットユニット３０Ｂが端口にはみ出し、固定止め縁２１によって位置を固定された状態となり、マグネットユニット３０Ｂとネジ部品６０Ｂとの磁気吸着が行われる。
【実施例３】
【００２５】
図６図は本考案の実施例３になるマグネットジャケットがドライバーヘッドに固定してある状態を拡大して示す。筒ジャケット１０Ｂの第一筒体１１Ｂに、マグネットユニット入れ槽２０及びオスセット部４０Ｂが設けてある。マグネットユニット３０は第一筒体１１Ｂに設けてある。第二筒体１２Ｂにメスセット部４１Ｂが形成してある。オスセット部４０Ｂの外側の周辺に外ネジ山部４４Ｂが形成してあり、メスセット部４１Ｂに内ネジ山部４３Ｂが形成してある。第一、第二筒体１１Ｂ、１２Ｂを合わせてドライバーヘッドに固定される。
【実施例４】
【００２６】
図７は、本考案の実施例４になるマグネットジャケットがドライバーヘッドに固定してある状態を拡大して示す。筒ジャケット１０Ｃの第一筒体１１Ｃに、マグネットユニット入れ槽２０及びメスセット部４１Ｃが形成してある。メスセット部４１Ｃはテーパ形状である。第二筒体１２Ｃに、斜錐状であるオスセット部４０Ｃが形成してある。オスセット部４０Ｃとメスセット部４１Ｃとが合わさっている。
【００２７】
オスセット部４０Ｃのテーパ形状の先側が伸ばされて、頸部４６が形成してある。オスセット部４０Ｃのテーパ形状の後ろ側が伸ばされ、突止め肩縁４７が形成してある。
【００２８】
７０はスプリングユニットであり、筒ジャケット１０Ｃの内側に、上端が第一筒体１１Ｃ内に突出に設けられた固定肩部１３に係止され、下端がオスセット部４０Ｃの突止め肩縁４７に係止されて、固定肩部１３と突止め肩縁４７との間に設けてあり、フレキシブル突止め状態が形成されている。
【００２９】
オスセット部４０Ｃは、周辺側に切り溝が形成してあり、メスセット部４１Ｃと緊密に接触して、フレキシブルバンド作用を発揮する。
【００３０】
筒ジャケット１０Ｃは図７に示すようにドライバーヘッド５１に固定してある。
【００３１】
筒ジャケット１０Ｃの位置を調整する場合、ユーザが片手の指でそれぞれ第一、第二筒体１１Ｃ、１２Ｃの片側を挟み持って縮め、ロッド５２に沿ってスライドさせ、希望の位置に調整したときに指を離す。
【００３２】
ユーザが片手の指で第一、第二筒体１１Ｃ、１２Ｃの片側を挟み持って縮めると、第二筒体１２Ｃのオスセット部４０Ｃの頸部４６が内側へ縮むようになり、オスセット部４０Ｃがメスセット部４１Ｃと離れた状態となり、オスセット部４０Ｃとロッド５２の間が緩み、圧迫されたスプリングユニット７０が弾性力を蓄勢する。よって、指で挟み持ったままにすれば、筒ジャケット１０Ｃがロッド５２に沿ってスライド可能となる。筒ジャケット１０Ｃをロッド５２から抜いて取り外し、又は筒ジャケット１０Ｃをロッド５２の末に滑らせることも可能である。
【００３３】
筒ジャケット１０Ｃを所望の位置に調整したときに指を離すと、スプリングユニット７０に蓄勢されていた弾性力が放出され、オスセット部４０Ｃ及びメスセット部４１Ｃが緊密に合うようになり、筒ジャケット１０Ｃはその位置に再度固定される。
【００３４】
上記のように、使用上、片手の操作が可能になり、操作の利便性が達成される。
【実施例５】
【００３５】
本考案の実施例５を説明する。本考案の実施例５は、図６に示す構造の第二筒体１２Ｂがフレキシブルバンド体構造となっている（図面省略）。しかも、メスセット部４１Ｂを設けることにより、オスセット部４０Ｂ付きの第一筒体１１Ｂと第二筒体１２Ｂを合わるとき、オスセット部４０Ｂはメスセット部４１Ｂと合わせることができるほかに、第二筒体１２Ｂのフレキシブルバンド体構造の有するフレキシブルバンド力により、オスセット部４０Ｂの周りを包み、しっかりと嵌めて、第一、第二筒体１１Ｂ、１２Ｂをフレキシブル嵌め合わせ状態にすることができる。ドライバー５０でネジ止めのように通すとき、前記ロッド５２がオスセット部４０Ｂを広げるが、第二筒体１２Ｂのフレキシブルバンド力がオスセット部４０Ｂの周囲側にあり、オスセット部４０の内側及びロッド５２の間が緊密に合わせるようになり、良好な組合せの結合性が得られるが、それを調整するとき、第一、第二筒体４０Ｂ、４１Ｂの間がフレキシブル嵌め合せ状態となったため、片手だけでマグネットジャケットの設けた位置を調整すればよい。
［効果の説明］
本考案は、以下に記載する効果を有する。
【００３６】
マグネットジャケットは、既有ドライバー構造に適用可能である。
【００３７】
マグネットジャケットは、第一、第二筒体が備わっており、オス、メスセット部に設けられた内、外ネジ山部によって、固定が可能となり、前記オスセット部は斜め錐状になるものであり、その周りに少なくとも二切り溝があり、それにより、フレキシブルサポート作用になり、第一、第二筒体がねじ合わせによって組み合わせたとき、そのネジ合わせの間に、斜め錐状に設けられたオスセット部が次第に挟まれ、それにより、オスセット部の内側壁とハンドルの外側壁が緊密に接触し、マグネットジャケットとハンドルの間に良好で緊密な組合せが形成されており、ドライバーを引き離すときでも、マグネットジャケットが脱落するのを防ぐことができる。
【００３８】
上述の実施例は本考案を具体的に説明したものであり、文中では特定の専門用語を用いて説明しているが、本考案の範囲を限定するものではなく、この技術分野を熟知した人員は本考案の精神及び原則を逸脱しない限り、本考案に変更または改良を加えることができる。しかし、それらの変更または改良は全て実用新案登録請求の範囲の範疇に含まれるものとする。
【図面の簡単な説明】
【００３９】
【図１】本考案の実施例１になるマグネットジャケットをドライバーと併せて示す分解斜視図である。
【図２】本考案の実施例１になるマグネットジャケットがドライバーヘッドに取り付けられた状態を示す斜視図である。
【図３】マグネットジャケットを拡大し分解して、ドライバーヘッドと併せて示す断面図である。
【図４】マグネットジャケットがドライバーヘッドに固定してある状態を拡大して示す断面図である。
【図５】本考案の実施例２になるマグネットジャケットがドライバーヘッドに固定してある状態を拡大して示す断面図である。
【図６】本考案の実施例３になるマグネットジャケットがドライバーヘッドに固定してある状態を拡大して示す断面図である。
【図７】本考案の実施例４になるマグネットジャケットがドライバーヘッドに固定してある状態を拡大して示す断面図である。
【図８】マグネットジャケットをロッドに沿って移動させるときの状態を示す図である。
【符号の説明】
【００４０】
Ａ  マグネットジャケット
１０、１０Ｂ、１０Ｃ  筒ジャケット
１１、１１Ｂ、１１Ｃ  第一筒体
１２、１２Ｂ、１２Ｃ  第二筒体
１３  固定肩部
２０  マグネットユニット入れ槽
２１  固定止め縁
３０、３０Ｂ  マグネットユニット
４０、４０Ｂ、４０Ｃ  オスセット部
４１、４１Ｂ、４１Ｃ  メスセット部
４２  切り溝
４３、４３Ｂ  内ネジ山部
４４、４４Ｂ  外ネジ山部
４６  頸部
４７  突止め肩縁
５０  ドライバー
５１  ドライバーヘッド
５２  ロッド
６０  ネジ部品
７０  スプリングユニット
【図１】
0003144645.tif 000003
【図２】
0003144645.tif 000004
【図３】
0003144645.tif 000005
【図４】
0003144645.tif 000006
【図５】
0003144645.tif 000007
【図６】
0003144645.tif 000008
【図７】
0003144645.tif 000009
【図８】
0003144645.tif 000010